(57)【要約】【課題】水槽構造の提供。【解決手段】水槽は、本体と、仕切りと、汲み取り装置と、濾過装置と、からなる。本体上に第一容置部と第二容置部を有し、第一容置部は、汲み取り装置と水質除臭装置を容置する。第二容置部は、濾過装置を設置する。本体の底部は、濾過材料を設置する水流道を設け、水流道上方は、仕切りを有し、濾過装置により、仕切り上方の飼育水を濾過し、水中の雑質を除去した後、水流道内に再導入し、水流道の長さを延長することにより、飼育水の生物処理を実行し、濾過時間を増加して、水槽の死角生成を防止し、飼育生態の平衡を達成する。第一容置部と第二容置部の濾過設備、及び、水流道上の生物濾過球により、水槽内の水質が少なくとも物理性、生物性、化学性の三回の濾過系を有する。これにより、水槽本体内の水交換率を減少させる。また、汲み取り装置と濾過装置は隠蔵されるので、水槽の外観を美しくし、商品価値を高める。【選択図】図２
0003138341.tif 000002
【実用新案登録請求の範囲】
【請求項１】
水槽構造であって、
底部に水流道を有し、第一容置部と第二容置部を有し、前記第一容置部は水質除臭装置と汲み取り装置を設置し、前記第一容置部との間に板を設置し、前記第二容置部との間に濾過板を設置する本体と、
前記水流道上方に設置され、排水孔を有し、一側の二端にそれぞれ、支承部と凸耳を有し、前記凸耳は穿孔を有する仕切りと、
清潔な水を前記仕切り上方に送る汲み取り装置と、
前記仕切り上方の水を濾過して前記水流道に送る濾過装置と、
からなり、前記水流道は水槽の飼育水に生物性濾過を実行し、水槽内の飼育水を循環式で流動させ、これにより、水槽内の飼育水を活性化することを特徴とする水槽構造。
【請求項２】
前記板上方は凸縁を設置することを特徴とする請求項１に記載の水槽構造。
【請求項３】
前記濾過板は複数の濾過孔を設置することを特徴とする請求項１に記載の水槽構造。
【請求項４】
前記第一容置部と前記第二容置部上方は装飾素子を設置することができることを特徴とする請求項１に記載の水槽構造。
【請求項５】
前記水流道内は生物濾過球を設置することを特徴とする請求項１に記載の水槽構造。
【請求項６】
前記濾過装置は濾過芯であることを特徴とする請求項１に記載の水槽構造。
【請求項７】
前記水質除臭装置は、活性炭か沸石であることを特徴とする請求項１に記載の水槽構造。
【考案の詳細な説明】
【技術分野】
【０００１】
本考案は水槽構造に関するものであって、特に、汲み上げ装置と濾過装置を水槽本体内に隠蔵した構造に関する。
【背景技術】
【０００２】
人類は陸生動物であり、水生動植物に対し、多少の好奇心があるので、近年、水族類の養殖が流行している。水族類の養殖は、大部分が食用のために養殖するが、水族類をペットとして飼育する人もいる。水族類をペットとして飼育するのは鑑賞のためであって、食用ではないので、水族類の外観と生態を鑑賞することができるように、公知の水族養殖器１は、図１で示されるように、一般に透明の材質により箱体１１を形成し、且つ、箱体１１の上端はポンプ１２、濾過ユニット１３、及び、酸素供給器１４を設置する。箱体１１の底部は造景用の砂石１５を敷く。
【０００３】
公知の水族養殖器１は使用時、まず、箱体１１の底部に砂石１５を敷き、箱体１１上端に濾過ユニット１３を架設し、濾過ユニット１３上にポンプ１２を固結し、全ての器具が組み立てられた後、箱体１１内に適当な水を注入し、その後、電源を繋いで、ポンプ１２を起動させる。公知の水族養殖器１は、主に、ポンプ１２の下方に入水管１２１を固接し、入水管１２１は箱体１１の一定深さまで延伸し、ポンプ１２起動後、箱体１１内の水がポンプ１２により入水管１２１を経由し、更に、ポンプ１２の排水管１２２から送出される。箱体１１内の水は、ポンプ１２の汲み取りにより箱体１１上方に設けられた濾過ユニット１３内に送られ、濾過される。濾過ユニット１３は、濾過綿、活性炭等により組成される数個の濾過素子１３１からなり、濾過素子１３１は、ポンプ１２により送られる箱体１１内の水を濾過し、箱体１１内の残りの飼料や水族の排泄物等の雑質を濾過し、濾過後の水は、フィルターユニット１３の底端の排水口１３２から箱体１１内に戻る。また、箱体１１内の水族が呼吸のための充分な空気を得られるようにするため、箱体１１上に酸素供給器１４を固設する。酸素供給器１４は、砂石１５中に埋設された排気管１４１により、外界の空気を箱体１１の水中に送入し、箱体１１内の水は充分な酸素を含み、水族に供給することができる。
【０００４】
公知の水族養殖器１は、ポンプ１２と濾過ユニット１３の作動により、箱体１１内の水の清潔度を維持し、箱体１１の水族を保護する。濾過ユニット１３の濾過素子１３１が効果的に濾過功能を実行できない時、濾過素子１３１を濾過ユニット１３中から取り出し、新しい濾過素子１３１に交換する。公知の水族養殖器は、観賞用水族を飼育する功能を既に有しているが、以下のような欠点がある。
１．         
箱体１１の体積が大きく（水族に自由に活動させるため）、ポンプ１２の汲み取り量は限りがあり、故に、箱体１１内に水流通量が不足し、箱体１１の死角を生成し（水が流動しない）。死角が箱体１１の水中の酸素含有量が不足し、嫌気菌が発生しやすいので、水族の健康に有害である。嫌気菌は、０．１PPM以下の時、水族の健康に有害な臭気を発生する。
２．         
箱体１１上方に固設された濾過１３は、ポンプ１２が汲み取る水を濾過し、濾過ユニット１３の濾過素子１３１と水の接触が面接触で、水砕化することができず、水中のオゾンが排出されるので、経常的に水を交換して、箱体１１内の水の清潔度を維持しなければならないが、水交換の動作は水族飼育にとって面倒な工程であり、また、水族を傷つける恐れがある。
３．         
濾過ユニット１３は一般に箱体１１上方に設置され、水族養殖器１は外観上美観とは言いがたく、空間を占有する。
【考案の開示】
【考案が解決しようとする課題】
【０００５】
本考案の目的は、上述の問題を改善する水槽の構造を提供することである。
【課題を解決するための手段】
【０００６】
本考案の水槽は、本体と、仕切りと、汲み取り装置と、濾過装置と、からなる。本体上に第一容置部と第二容置部を有し、汲み取り装置と濾過装置を容置し、本体の底部は水流道を設置する。水流道上方は仕切りを設置し、濾過装置により、仕切り上方の飼育水を濾過して水流道内に送り、水流道の長さを延長することにより、飼育水の流動量と濾過時間を増加して、水槽の死角生成を防止する。更に、汲み取り装置により、清潔な水を仕切り上方に送り、水槽本体内の水交換率を減少させ、且つ、第一容置部と第二容置部により、汲み取り装置と濾過装置を隠蔵し、水槽の外観を美しくし、商品価値を高める。
【考案の効果】
【０００７】
水槽内の水の交換率を減少させ、また、容置部により汲み取り装置と濾過装置を隠蔵し、外観が美しい水槽が提供される。  
【考案を実施するための最良の形態】
【０００８】
図２を参照すると、本考案の水槽２は、本体２１と、仕切り２２と、汲み取り装置２３と、濾過装置２４と、からなる。
【０００９】
本体２１は透明の箱体で、本体２１の底部は複数の板片２１１により水流道２１２を隔て、水流道２１２上に複数の生物濾過球Bを設置し、これにより、水槽２の底部は生物濾過系を形成する。本体２１後方の左右二側に、円筒状の第一容置部２１３と第二容置部２１４を一体形成し、本体２１と第一容置部２１３間の下方は囲み板２１４を設置し、第一容置部２１３下方は汲み取り装置２３を設置し、且つ、内部は、活性炭素や沸石等を入れた水質除臭装置２５を設置し、これにより、第一容置部２１３上に無害の化学濾過系を有し、第二容置部２１４内に、濾過綿等の物理濾過装置２４を設置し、これにより、物理濾過系を形成する。第一容置部２１３と本体２１の間に弧形板２１５を設置し、弧形板２１５上方は凸縁２１５１を設置する。第二容置部２１４と本体２１の間は弧形の濾過板２１６を設置し、濾過板２１６上に複数の濾過孔２１６１を有し、飼育動物が第二容置部２１４内に進入するのを防止する。この他、本考案の実施時、第一容置部２１３と第二容置部２４１上方は、装飾素子２１７を設置する。
【００１０】
仕切り２２は、本体２１板片２１１上方に設置され、水流道２１２と上方空間を隔絶し、仕切り２２の一側面は支承部２２１と凸耳２２２を延設し、支承部２２１は、本体２１の囲み板２１１１上を支承し、凸耳２２２は第二容置部２１４内に容置される。凸耳２２２上に穿孔２２２１を有する。穿孔２２２１は、第二容置部２１４に、濾過した水を仕切り２２下方に流入させる。仕切り２２の凸耳２２１に近い箇所に、排水孔２２３を設置し、排水孔２２３は、汲み取り装置２３の汲み取り管２３１を仕切り２２に穿入させ、これにより、汲み取り装置２３は、仕切り２２下方を、生物濾過球Bにより濾過された水を第一容置部２１３内に汲み取り、化学濾過の除臭動作を実行する。
【００１１】
水質除臭装置２５は、第一容置部２１３内に装着され、第一容置部２１３下方に設置された汲み取り装置２３により、水流道２１２の水を汲み取って、水質除臭装置２５で浄化後、板２１５上方の凸縁２１５１により本体２１内に戻す。水質除臭装置２５中に、活性炭、沸石等の濾過材を設置し、生物濾過球Bの濾過した水に対し、再度、化学濾過除臭動作を実行し、水槽２内の水族に有害な臭気発生を防止する。
【００１２】
濾過装置２４は、第二容置部２１４内に設置され、濾過装置２４は、濾過綿等の材質により生成される濾過芯で、濾過装置２４は、貫通する濾過孔２４１を有し、濾過孔２４１は仕切り２の凸耳２２２の穿孔２２２１と対応し、これにより、水槽２内の水は、濾過装置２４により第一次水質濾過を実行し、第二容置部２１４は物理濾過系を形成する。
【００１３】
図３、図４で示されるように、本考案の実施時、水槽２本体２１の水流道２１２上に、生物濾過球Bを設置し、仕切り２２を水流道２１２上において、仕切り２２により、水流道２１２と上方空間を隔絶し、仕切り２２上方に造景用の砂石（図示されない）を敷き、水質除臭装置２５を第一容置部２１３内に置き、濾過装置２４を第二容置部２１４内に置き、水槽２本体２１内に注水する時、汲み取り装置２３を起動し、この時、汲み取り装置２３の吸力により、飼育水は、濾過板２１６の濾過孔２１６１から第二容置部２１４内に吸入され、濾過装置２４により濾過後、濾過孔２１４により、仕切り２２の凸耳２２２の穿孔２２２１を経由して、水流道２１２内に流入し、生物濾過球Bにより生物濾過動作を実行した後、汲み取り装置２３により、濾過後の飼育水を上に汲み取り、第一容置部２１３内に送り、化学濾過の除臭動作を実行する。更に、第一容置部２１３により板２１５の凸縁２１５１に流出した後、更に、凸縁２１５１から本体２１中に流入し、板２１５の凸縁２１５１は、飼育水が下に流れる時、水面に衝突して砕化し、水中の酸素含有量を増加させる。
【００１４】
本考案は、濾過装置２４により、仕切り２２上方の水を水流道２１２内で濾過し、水流道２１２の長さを延長して、飼育水の流動量と濾過時間を増加し、水槽２の死角の生成を防止する。更に、汲み取り装置２３はきれいな飼育水を水質除臭装置２５により一度化学濾過処理し、本体２１内に送り、上述の水質処理方式により、水槽２内の水は、少なくとも、第一次の物理性濾過、第二次の生物性濾過を経て、第三次の化学性除臭濾過により、水槽２本体２１内の水交換率を減少させる。また、第一容置部２１３と第二容置部２１４により、水質除臭装置２５、及び、濾過装置２４を隠蔵し、水槽２の外観を美しくし、商品価値を高める。水質除臭装置２５、及び、濾過装置２４を交換する時、水質除臭装置２５、及び、濾過装置２４を第一容置部２１３、或いは、第二容置部２１４から取り出せば、簡単にできる。水流道２１２上に生物濾過球Bを設置するので、飼育水が水砕化し、生物濾過球Bと飼育水が接触し、嫌気菌が生長しない。また、異なる水流道２１２で異なる有益菌を培養し、水槽２内の水質の生態平衡を維持する。
【図面の簡単な説明】
【００１５】
【図１】公知の水槽の立体図である。
【図２】本考案の水槽の立体分解図である。
【図３】本考案の水槽の立体図である。
【図４】本考案の水槽の水流を示す図である。
【符号の説明】
【００１６】
１        水族養殖器
１１      箱体
１２      ポンプ
１２１    入水管
１２２    排水管
１３      濾過ユニット
１３１    濾過素子
１３２    排水口
１４      酸素供給器
１４１    排気管
１５      砂石
２        水槽
２１      本体
２１１    板片
２１１１  囲み板
２１２    水流道
２１３    第一容置部
２１４    第二容置部
２１５    板
２１５１    凸縁
２１６    濾過板
２１６１    濾過孔
２１７    装飾素子
２２      仕切り
２２１    支承部
２２２    凸耳
２２２１  穿孔
２２３    排水孔
２３      汲み取り装置
２３１    汲み取り管
２４      濾過装置
２４１    濾過孔
２５      水質除臭装置
【図１】
0003138341.tif 000003
【図２】
0003138341.tif 000004
【図３】
0003138341.tif 000005
【図４】
0003138341.tif 000006
【手続補正書】
【提出日】平成19年10月26日(2007.10.26)
【手続補正１】
【補正対象書類名】図面
【補正対象項目名】図１
【補正方法】変更
【補正の内容】
【図１】
0003138341.tif 000007
【手続補正２】
【補正対象書類名】図面
【補正対象項目名】図２
【補正方法】変更
【補正の内容】
【図２】
0003138341.tif 000008
【手続補正３】
【補正対象書類名】図面
【補正対象項目名】図３
【補正方法】変更
【補正の内容】
【図３】
0003138341.tif 000009
【手続補正４】
【補正対象書類名】図面
【補正対象項目名】図４
【補正方法】変更
【補正の内容】
【図４】
0003138341.tif 000010